(57)【要約】【課題】  コスト低減のためにフリーアクセスフロアパネルの下板の厚さを薄くしても、そのパネルの上に大きな荷重がかかって下板の隅部が支持脚の支持台に接触したときに、その下板の隅部が局部的に変形することを防止することができるフリーアクセスフロアパネルを提供する。【解決手段】  上板１０ａと下板１０ｂにより構成され、内部に空間が形成された中空型のフリーアクセスフロアパネル３０において、下板１０ｂの四隅部に補強構造３０ａを設けたことを特徴とする。【選択図】      図１
2006104838.tif 000002
【特許請求の範囲】
【請求項１】
上板と下板により構成され、内部に空間が形成された中空型のフリーアクセスフロアパネルにおいて、前記下板の四隅部に補強構造を設けたことを特徴とするフリーアクセスフロアパネル。
【請求項２】
前記補強構造が前記下板の四隅部の断面に形成した凹凸形状であることを特徴とする請求項１に記載のフリーアクセスフロアパネル。
【請求項３】
前記補強構造が板状部材であることを特徴とする請求項１に記載のフリーアクセスフロアパネル。
【請求項４】
前記補強構造が充填部材であることを特徴とする請求項１に記載のフリーアクセスフロアパネル。
【発明の詳細な説明】
【技術分野】
【０００１】
本発明は、建築構造物の素材床面の上方に空間を隔てて第２の床部を設けた二重床構造を形成するフリーアクセスフロア構造の、その第２の床部に用いられるフリーアクセスフロアパネルに関するものである。
【背景技術】
【０００２】
最近の建築物のオフィス等に用いられる室（部屋）内には、パソコン，プリンター，コピー機，ファクシミリ等の各種電子機器の、配線や機材等がオフィス等の床の上に放置されて乱雑になるのを防止するために、建築構造物のコンクリート床面の上方に空間を隔てて第２の床部を設けた二重床構造（フリーアクセスフロア構造）を形成し、このコンクリート床面と第２の床部の間の空間に上記配線や機材等を収納することができるように施工する場合が増えている。
【０００３】
このようなフリーアクセスフロア構造の、コンクリート床面より上方に設けられる第２の床部にはフリーアクセスフロアパネルが用いられ、このパネルとしては従来は、例えば図８ないし１４に示すようなフリーアクセスフロアパネル１０が用いられていた。
【０００４】
同パネル１０について、図８はその上面図、図９は下面図、図１０は側面図をそれぞれ示す。これらの図に示すように、フリーアクセスフロアパネル１０は上板１０ａと下板１０ｂにより構成されている。また、図９に示すように、下板１０ｂには複数のすり鉢状の凹部１０ｇが形成されており、凹部１０ｇの底部が上板１０ａに接触し固着されることによってフリーアクセスフロアパネル１０の強度向上が図られている。
【０００５】
また、図１２に示すように、フリーアクセスフロアパネル１０の外周部においては、下板１０ｂを垂直方向に折り曲げることにより側板１０ｃが形成され、側板１０ｃの側端部は上板１０ａに接触し固着されている。従って、フリーアクセスフロアパネル１０は、上板１０ａと下板１０ｂとによって内部に空間１０ｅが形成された中空型となっている。
【０００６】
図１１に示すように、フリーアクセスフロアパネル１０の上板１０ａの隅部には、円周方向四分の一の凹フランジ部１０ｄが形成されている。この凹フランジ部１０ｄは、図１２に示すように、円周方向四分の一のテーパ部１０ｆを介して、上板１０ａから１段下がって上板１０ａと平行になるように形成されている。
【０００７】
このようなフリーアクセスフロアパネル１０は、図１３に示すように、その凹フランジ部１０ｄを支持脚１３の高さ調整部１５上部の支持面１５ａに、弾性材等を介して載置されて、支持されるようになっている。
【０００８】
図１３において、高さ調整部１５の軸線部にはネジ孔が形成され、このネジ孔が、支持脚１３の立設棒部材１８の周部に形成されたオスネジにネジ結合して、高さ調整部１５を螺旋方向に回転させることにより、高さ調整部１５のコンクリート床面１４からの高さを調整することができるようになっている。
【０００９】
高さ調整部１５のコンクリート床面１４からの高さが所望の高さになった時点で、固定ネジ２１を立設棒部材１８に向って進むよう、高さ調整部１５の側部に形成されたネジ孔に締め付けることにより、高さ調整部１５を所望の高さに固定するようになっている。
【００１０】
図１４に示すように、４枚のフリーアクセスフロアパネル１０の各凹フランジ部１０ｄが１箇所に寄せ集められて配置され、図１３に示すように、１つの同じ高さ調整部１５上部の支持面１５ａに載置されるようになっている。
【００１１】
そして、固定皿ボルト１７のオスネジを高さ調整部１５軸線部のネジ孔に締め付けて、凹フランジ部１０ｄが皿頭部１７ａにより押えられて固定されることにより、４枚のフリーアクセスフロアパネル１０の各凹フランジ部１０ｄが、１つの同じ高さ調整部１５に共に固定されて支持されるようになっている。
【００１２】
この状態においては、フリーアクセスフロアパネル１０の下板１０ｂの隅部と、高さ調整部１５に一体的に形成された支持台１５ｂとの間には隙間があるが、フリーアクセスフロアパネル１０（の上板１０ａ）の上に大きな荷重がかかると、そのパネル１０の中央部が下垂するようにパネル１０全体が撓んで、その下板１０ｂの隅部が支持台１５ｂに接触するようになっている。
【００１３】
このときフリーアクセスフロアパネル１０の上にかかった荷重は、最初は同パネル１０の凹フランジ部１０ｄを介して高さ調整部１５の支持面１５ａにより支持されるが、荷重が大きくなって同パネル１０が撓み、上記支持面１５ａだけでは支持しきれなくなると、支持台１５ｂに接触した下板１０ｂの隅部を介してその荷重の一部を支持台１５ｂが支持するようになっている。
【発明の開示】
【発明が解決しようとする課題】
【００１４】
ところで、フリーアクセスフロアパネル１０のコスト低減のための対策の１つとして、同パネル１０の軽量化が考えられるが、その軽量化のために下板１０ｂや側板１０ｃの厚さを薄くすると、フリーアクセスフロアパネル１０の上に大きな荷重がかかって、その下板１０ｂの隅部が支持脚１３の支持台１５ｂに接触したときに、その下板１０ｂの隅部が支持台１５ｂの反力に押されて局部的に変形してしまうおそれがある。
【００１５】
そしてこのように下板１０ｂの隅部が局部的に変形してしまうと、フリーアクセスフロアパネル１０の上にかかった荷重の一部を支持台１５ｂに効果的に伝達することができないので、支持台１５ｂはその荷重の一部を効果的に支持することができなくなるという問題があった。
【００１６】
そこで本発明は、上記問題点に鑑みて、コスト低減のためにフリーアクセスフロアパネルの下板の厚さを薄くしても、そのパネルの上に大きな荷重がかかって下板の隅部が支持脚の支持台に接触したときに、その下板の隅部が局部的に変形することを防止することができるフリーアクセスフロアパネルを提供することを課題とするものである。
【課題を解決するための手段】
【００１７】
上記課題を解決するために本発明は、
上板と下板により構成され、内部に空間が形成された中空型のフリーアクセスフロアパネルにおいて、前記下板の四隅部に補強構造を設けたことを特徴とするものである。
【発明の効果】
【００１８】
このような構成のフリーアクセスフロアパネルによれば、フリーアクセスフロアパネルの下板の厚さを薄くした場合でも、下板の四隅部における強度を確保できるため、下板の隅部が局部的に変形することを防止することができる。
【発明を実施するための最良の形態】
【００１９】
以下、本発明の実施の形態について、図面に基づいて具体的に説明する。
図１及び図２は、本発明の一実施の形態に係るフリーアクセスフロアパネル３０について説明するために参照する図である。従来と同様の部分には同様の符号を付して説明し、従来と同様の構成についての重複する説明は省略するものとする。
【００２０】
図１は、フリーアクセスフロアパネル３０の下板１０ｂの隅部の拡大図である。同図に示されているように、下板１０ｂの隅部には、上板１０ａの対角線と平行方向に伸びる、図２に示すような半円状の凹凸断面を有する２本の膨出部３０ａ（補強構造、凹凸）が形成されている。
【００２１】
このように、下板１０ｂの隅部に２本の膨出部３０ａを形成したため、下板１０ｂに対してほぼ直角方向（図１の紙面に対して直角方向）、かつ、膨出部３０ａの長さ方向に対してほぼ直角方向の荷重が下板１０ｂの隅部に加わっても、膨出部３０ａがその荷重に抵抗して大きな強度を発揮し、下板１０ｂの隅部が局部的に変形するのを防止することができる。
【００２２】
このため、フリーアクセスフロアパネル３０の上に大きな荷重がかかって、その下板１０ｂの隅部が支持脚１３の支持台１５ｂに接触したとき、特に下板１０ｂの隅部が支持台１５ｂの縁部等の反力により局部的に押されたときでも、下板１０ｂの隅部の膨出部３０ａはそのような荷重に抵抗して大きな強度を発揮することができる。
【００２３】
従って、下板１０ｂの隅部がそのような荷重により局部的に変形するのを防止して、フリーアクセスフロアパネル３０上にかかった荷重の一部を支持台１５ｂに効果的に伝達することができるため、支持台１５ｂは下板１０ｂの隅部を介してその荷重の一部を効果的に支持することができる。
【００２４】
このため、フリーアクセスフロアパネル３０の下板１０ｂの厚さを薄くして、同パネル３０の軽量化を図ることができるので、その軽量化によりフリーアクセスフロアパネル３０のコストを低減させることが可能となる。
【００２５】
ところで、前記実施の形態においては、補強構造として、下板１０ｂの隅部に２本の膨出部３０ａを形成した場合について説明したが、図３に示すように、その幅を広くした膨出部３０ｂを１本だけ形成するようにしてもよく、或は図４に示すように、その幅は膨出部３０ａと同様、又は狭くした膨出部３０ｃを３本以上形成するようにしてもよい。
【００２６】
また、前記実施の形態においては、補強構造として、下板１０ｂの隅部の断面形状が半円状の凹凸を形成する、各々が独立した膨出部３０ａを形成した場合について説明したが、図５に示すように、断面において凹凸が交互に繰り返される波形形状の補強部３０ｄを形成してもよい。
【００２７】
また、前記実施の形態においては、補強構造として、下板１０ｂの隅部の断面形状を半円状の凹凸に変形させて膨出部３０ａを形成した場合について説明したが、下板１０ｂの隅部の断面形状を変形させない平面のままで、その下板１０ｂの隅部に適当な大きさと形状の板状の補強部材（図示せず）を固着するようにしてもよい。
【００２８】
また補強構造としては、図６に示すように、下板１０ｂの隅部と上板１０ａの隅部との間に、コンクリート、プラスチック等の補強部材２０を充填して設けたものであってもよい。
【００２９】
或は補強構造としては、上記のような補強部材２０の代わりに、図７に示すように、下板１０ｂの隅部と上板１０ａの隅部との間に、これらの上・下板１０ａ，１０ｂに対して垂直方向に伸びるようなリブや柱等の補強部材２５を設けたものであってもよい。
【００３０】
なお、前記実施の形態においては、上板１０ａの四隅部を支持脚１３の高さ調整部１５により支持し、上板１０ａの上に大きな荷重がかかったときに下板１０ｂの四隅部が支持台１５ｂにより二次的に支持される場合について説明したが、当初から下板１０ｂの四隅部のみを支持台１５ｂにより支持するようにしたフリーアクセスフロア構造にも本発明は適用することができる。
【図面の簡単な説明】
【００３１】
【図１】本発明の一実施の形態に係るフリーアクセスフロアパネル３０の下板１０ｂの隅部の膨出部３０ａを示す拡大図である。
【図２】図１における膨出部３０ａのＡ−Ａ線断面図である。
【図３】本発明の他の実施例に係る膨出部３０ｂの断面図である。
【図４】本発明の他の実施例に係る膨出部３０ｃの断面図である。
【図５】本発明の他の実施例に係る補強部３０ｄの波形断面図である。
【図６】本発明の他の実施例に係る補強部材２０の断面図である。
【図７】本発明の他の実施例に係る補強部材２５の断面図である。
【図８】従来のフリーアクセスフロアパネル１０の上面図である。
【図９】従来のフリーアクセスフロアパネル１０の下面図である。
【図１０】従来のフリーアクセスフロアパネル１０の側面図である。
【図１１】従来のフリーアクセスフロアパネル１０の下板１０ｂの隅部を示す拡大図である。
【図１２】図１１における凹フランジ部１０ｄを含むフリーアクセスフロアパネル１０の隅部のＡ−Ａ線断面図である。
【図１３】支持脚１３の高さ調整部１５の支持面１５ａに支持されたフリーアクセスフロアパネル１０の凹フランジ部１０ｄを示す断面図である。
【図１４】４枚のフリーアクセスフロアパネル１０及び固定皿ボルト１７の皿頭部１７ａを示す上面図である。
【符号の説明】
【００３２】
１０  フリーアクセスフロアパネル
１０ａ  上板
１０ｂ  下板
１０ｃ  側板
１０ｄ  凹フランジ部
１０ｅ  空間
１０ｆ  テーパ部
１０ｇ  凹部
１３  支持脚
１４  コンクリート床面
１５  高さ調整部
１５ａ  支持面
１５ｂ  支持台
１７  固定皿ボルト
１７ａ  皿頭部
１８  立設棒部材
２０，２５  補強部材
３０  フリーアクセスフロアパネル
３０ａ，３０ｂ，３０ｃ  膨出部
３０ｄ  補強部
【図１】
2006104838.tif 000003
【図２】
2006104838.tif 000004
【図３】
2006104838.tif 000005
【図４】
2006104838.tif 000006
【図５】
2006104838.tif 000007
【図６】
2006104838.tif 000008
【図７】
2006104838.tif 000009
【図８】
2006104838.tif 000010
【図９】
2006104838.tif 000011
【図１０】
2006104838.tif 000012
【図１１】
2006104838.tif 000013
【図１２】
2006104838.tif 000014
【図１３】
2006104838.tif 000015
【図１４】
2006104838.tif 000016